(57)【要約】【課題】二つの電子ユニットを分離接続可能に備えた電子機器において、二つの電子ユニットが接続された際に生ずる異常動作等の不具合を防止することが可能な電子機器を提供する。【解決手段】  電力制御手段１３は、接続検知手段による検知結果、及び、動作識別手段により識別される第一の画像読取部１の動作状態に基づいて、第一の画像読取部１の主動作部（第一の駆動モータ５、第一の照射ランプ６、第一の画像読取センサ７）と第二の画像読取部２とのうちいずれかのみに電力を供給させる。【選択図】  図１
2006254631.tif 000002
【特許請求の範囲】
【請求項１】
電気的に接続される第一の電子ユニット及び第二の電子ユニットを分離接続可能に備え、該第二の電子ユニットには該第一の電子ユニットを介して電力が供給される電子機器において、
分離状態にあった前記第一の電子ユニットと前記第二の電子ユニットとが接続されたかどうかを検知する接続検知手段と、
前記第一の電子ユニットのうち主動作部が動作する第一の動作状態にあるか、または、前記第一の電子ユニットのうち該主動作部が動作していない第二の動作状態にあるかを識別する動作識別手段と、
前記第一の電子ユニットの前記主動作部及び前記第二の電子ユニットに供給される電力を制御する電力制御手段と、
を備え、
前記電力制御手段は、前記接続検知手段による検知結果、及び、前記動作識別手段により識別される前記第一の電子ユニットの動作状態に基づいて、該第一の電子ユニットの前記主動作部と前記第二の電子ユニットとのうちいずれかのみに電力を供給させることを特徴とする電子機器。
【請求項２】
前記動作識別手段により前記第一の電子ユニットが前記第二の動作状態にあると識別された場合であって、かつ、前記接続検知手段により前記第一の電子ユニットと前記第二の電子ユニットとが接続されたことが検知された場合、
前記電力制御手段は、前記第一の電子ユニットの前記主動作部に電力が供給されないようにするとともに、前記第二の電子ユニットへの電力の供給を開始するように制御することを特徴とする請求項１に記載の電子機器。
【請求項３】
前記動作識別手段により前記第一の電子ユニットが前記第一の動作状態にあると識別された場合であって、かつ、前記接続検知手段により前記第一の電子ユニットと前記第二の電子ユニットとが接続されたことが検知された場合、
前記電力制御手段は、前記第二の電子ユニットへの電力供給の開始を一時保留し、前記動作識別手段により前記第一の電子ユニットの前記第一の動作状態が終了したことを識別された後、該第一の電子ユニットの前記主動作部への電力の供給を停止するとともに、該第二の電子ユニットへの電力の供給を開始するように制御することを特徴とする請求項１または２に記載の電子機器。
【請求項４】
前記接続検知手段により前記第一の電子ユニットと前記第二の電子ユニットとは接続されていないことが検知された場合、
前記電力制御手段は、前記動作識別手段により識別された動作状態にかかわらず、前記第一の電子ユニットの前記主動作部に電力を供給し、かつ、前記第二の電子ユニットに電力が供給されないように制御することを特徴とする請求項１〜３のいずれかに記載の電子機器。
【請求項５】
前記第一の電子ユニットは、原稿を移動させながら原稿に形成された画像を読取る第一の画像読取手段を備えた第一の画像読取ユニットであり、
前記第二の電子ユニットは、原稿を静置して可動式読取部を移動させながら画像を読取る第二の画像読取手段を備えた第二の画像読取ユニットであることを特徴とする請求項１〜４のいずれかに記載の電子機器。
【請求項６】
前記第一の電子ユニットの前記主動作部は、前記第一の画像読取手段を含み、
前記第一の電子ユニットの前記主動作部以外の動作部は、前記第一の画像読取手段及び前記第二の画像読取手段により読取られた画像情報を処理する画像処理部を含むことを特
徴とする請求項５に記載の電子機器。
【請求項７】
前記第一の画像読取ユニットと前記第二の画像読取ユニットとを電気的に接続する電気的接続部を複数備え、
前記複数の電気的接続部のうち第一接続部は、前記第二の画像読取手段を駆動する駆動力源に前記第一の画像読取ユニットから電力を供給するための駆動電力供給用の導電部を有し、
前記複数の電気的接続部のうち第二接続部は、前記第二の画像読取手段により読取られた画像情報を前記画像処理部に転送するための導電部を有することを特徴とする請求項６に記載の電子機器。
【発明の詳細な説明】
【技術分野】
【０００１】
本発明は、電子機器に関するもので、例えば、原稿の画像を読み取る画像読取装置に関するものである。
【背景技術】
【０００２】
図５は、従来の電子機器として、二つの画像読取部を分離接続可能とする構成の、画像読取装置の一従来例の概略構成図を示す。
【０００３】
図５において、１０１は第一の画像読取部（電子ユニット）であり、１０２は第二の画像読取部（電子ユニット）である。１０３は接続部の一例であり、１０３ａは電力供給用導電部、１０３ｂは画像読取データ通信用導電部である。
【０００４】
１０４は電源供給部であり、第一の画像読取部１０１の電源供給源であり、第二の画像読取部１０２の電源供給源でもある。１０５は第一の駆動モータであり、シートを搬送するシート搬送ローラ（不図示）等の駆動力源である。
【０００５】
１０６は第一の照射ランプであり、搬送されるシートに画像読み取りのための光を照射する光源である。１０７は第一の画像読取センサであり、搬送されるシートの画像情報を読み取る。
【０００６】
１１１は第二の画像読取センサであり、移動しながらシートの画像情報を読み取る。１０９は第二の駆動モータであり、画像読取センサ駆動機構（不図示）等の駆動力源である。静置した原稿に対し画像読取センサを移動させる。１１０は第二の照射ランプであり、画像読取センサと同様に移動して原稿に画像読み取りのための光を供給する光源である。
【０００７】
１０８は画像処理回路であり、第一の画像読取部１０１と第二の画像読取部１０２との共通の画像処理部（記録部、表示部、保存部、記憶部、送信部、複写部等）である。画像読取センサ１０７，１１１で読み取った原稿のデータを処理し、外部機器として接続されているパーソナルコンピュータ等（不図示、以下ＰＣと記す）に出力する。
【０００８】
１１２はＩ／Ｆ（ｉｎｔｅｒｆａｃｅ）であり、接続部１０３によって第一の画像読取部１０１と第二の画像読取部１０２が接続されている場合、画像読取センサ１１１で読み取った画像情報を画像処理回路１０８へ送る。
【０００９】
このような構成により、第一の画像読取部１０１と第二の画像読取部１０２で、電源供給部１０４と画像処理回路１０８を共通とすることで小型化や部品点数減少を実現している。
【００１０】
また、第一のユニットから第二のユニットへ電源を供給するように構成し、第一のユニットの電源電圧を監視し、支障のないタイミングで第二のユニットに電源を投入するようにした装置もある（例えば特許文献１参照）。
【特許文献１】特開平０５−２２７６５９号公報
【発明の開示】
【発明が解決しようとする課題】
【００１１】
特許文献１の構成では、第二のユニットに電源を投入した際に第一のユニットにも電源が供給され続けており、必要以上に大きい容量の電源を使用しなければならないことが懸
念される。
【００１２】
また図５に示した構成では、第一の画像読取部１０１と第二の画像読取部１０２が接続されていない状態において、第一の画像読取部１０１が画像読み取り動作中に第二の画像読取部１０２を接続すると、第二の画像読取部１０２に自動的に電源が供給され、画像読み取り動作中の第一の画像読取部１０１は電源電圧が低下し、誤動作や不作動などの不具合が生じてしまうことが懸念される。
【００１３】
加えて、第二の画像読取部１０２の初期設定動作が始まると、さらに第一の画像読取部１０１への電源電圧低下の影響が大きくなり、性能低下や誤動作の起こる可能性も増し、多大な不具合が生じる。
【００１４】
これに対処する方法として、第一の画像読取部１０１と第二の画像読取部１０２の両方が同時に動作することを想定し、電源供給部１０４の電源容量や画像処理回路１０８等の性能を大容量、高性能なものを用いる方法がある。
【００１５】
しかし、第一の画像読取部１０１と第二の画像読取部１０２の両方が同時に動作することを想定した大容量の電源供給部１０４や高性能な画像処理回路１０８等を用いるのでは、第一の画像読取部１０１と第二の画像読取部１０２のどちらか一方のみが動作する状態時には過大性能であり、高価であり、非効率的であるという課題がある。
【００１６】
また、第一の画像読取部１０１と第二の画像読取部１０２をつなぐ接続部１０３は一本であるため、第二の画像読取部１０２が動作中に接続部１０３が外れる等により二つの画像読取部が分離された場合、接続部１０３からの電力の供給も全て停止してしまう。
【００１７】
この時、画像読取センサ１１１が初期位置から移動したままの状態となるため、再接続後の初期動作時に第二の駆動モータ１０９を駆動させ画像読取センサ１１１を初期位置に戻すが、モータは消費電力が大きいため初期動作に電圧低下等の不具合を生じることが懸念され、このような場合に対処しようとしても、上述したような課題が生じてしまう。
【００１８】
さらに、モータの電源はノイズの発生量が多いため、電力供給用導電部１０３ａと画像読取データ通信用導電部１０３ｂが一本の接続部１０３の中にあり、接近しているため画像情報信号にノイズが乗る等の不具合を生じることが懸念される。
【００１９】
本発明は上記したような事情に鑑みてなされたものであり、二つの電子ユニットを分離接続可能に備えた電子機器において、二つの電子ユニットが接続された際に生ずる異常動作等の不具合を防止することを目的とする。
【課題を解決するための手段】
【００２０】
上記目的を達成するために本発明にあっては、
電気的に接続される第一の電子ユニット及び第二の電子ユニットを分離接続可能に備え、該第二の電子ユニットには該第一の電子ユニットを介して電力が供給される電子機器において、
分離状態にあった前記第一の電子ユニットと前記第二の電子ユニットとが接続されたかどうかを検知する接続検知手段と、
前記第一の電子ユニットのうち主動作部が動作する第一の動作状態にあるか、または、前記第一の電子ユニットのうち該主動作部が動作していない第二の動作状態にあるかを識別する動作識別手段と、
前記第一の電子ユニットの前記主動作部及び前記第二の電子ユニットに供給される電力を制御する電力制御手段と、
を備え、
前記電力制御手段は、前記接続検知手段による検知結果、及び、前記動作識別手段により識別される前記第一の電子ユニットの動作状態に基づいて、該第一の電子ユニットの前記主動作部と前記第二の電子ユニットとのうちいずれかのみに電力を供給させることを特徴とする。
【発明の効果】
【００２１】
本発明によれば、二つの電子ユニットを分離接続可能に備えた電子機器において、二つの電子ユニットが接続された際に生ずる異常動作等の不具合を防止することが可能となる。
【発明を実施するための最良の形態】
【００２２】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２３】
図１は、本発明の実施の形態に係る電子機器としての画像読取装置Ａを示す概略図である。
【００２４】
図１において、１は第一の電子ユニットとしての第一の画像読取部（第一の画像読取ユニット）であり、２は第二の電子ユニットとしての第二の画像読取部（第二の画像読取ユニット）である。
【００２５】
４は電力供給源（電源供給部）であり、第一の画像読取部１の電源供給源であり、第二の画像読取部２の電源供給源でもある。電力供給源４は、第一の画像読取部１内に設けられているが、第一の画像読取部１の外部に設けられて第一の画像読取部１、及び、第一の画像読取部１を介して第二の画像読取部２に電力を供給するものであってもよい。
【００２６】
５は第一の駆動モータであり、シートを搬送するシート搬送ローラ等（不図示）の駆動力源である。６は第一の照射ランプであり、搬送されるシートに画像読み取りのための光を照射する光源である。７は第一の画像読取手段としての第一の画像読取センサであり、シート搬送ローラにより搬送されるシートの画像情報を読み取る。ここで、第一の駆動モータ５、第一の照射ランプ６と第一の画像読取センサ７は、本発明に係る主動作部を構成している。
【００２７】
１１は第二の画像読取手段としての第二の画像読取センサであり、移動しながらシートの画像情報を読み取る。９は第二の駆動モータであり、画像読取センサ駆動機構等（不図示）の駆動力源である。静置した原稿に対し画像読取センサ１１を移動させる。１０は第二の照射ランプであり、画像読取センサ１１と同様に移動して原稿に画像読み取りのための光を供給する光源である。
【００２８】
８は画像処理回路であり、第一の画像読取部１と第二の画像読取部２との共通の画像処理部（記録部、表示部、保存部、記憶部、送信部、複写部等）である。画像読取センサ７，１１で読み取った原稿のデータを処理し、第一の画像読取部１に外部機器として接続されているＰＣ等（不図示）に出力する。
【００２９】
１２はＩ／Ｆであり、接続部１５によって第一の画像読取部１と第二の画像読取部２が接続されている場合、第二の画像読取センサ１１で読み取った画像情報を画像処理回路８へ送る。
【００３０】
１３は本実施の形態の特徴的な構成である電力制御手段であり、制御回路（不図示）からの信号により電力制御部１３ａで第一の画像読取部１に供給される電力を制御し、電力制御部１３ｂで第二の画像読取部２に供給される電力を制御する。
【００３１】
電力制御部１３ａは第一の画像読取部１用の電力制御手段であるが、画像処理回路８やＩ／Ｆ１２や不図示の制御回路等からなる制御部の電源を制御するものではない。電力制御部１３ｂは第二の画像読取部２用の電力制御手段である。
【００３２】
電力制御部１３ａ，１３ｂは切り替え式とし、電力制御手段１３は、どちらか一方のみＯＮとなる制御を行う。さらに、本実施の形態の特徴として、電力制御手段１３は、第一の画像読取部１と第二の画像読取部２の間で、すでに一方が動作している場合はそちらの動作を優先させ、他方への電源供給の開始を保留することで、第一の画像読取部と第二の画像読取部の両方が同時に動作しないようにする。
【００３３】
１５は電気的接続部の一例であり、１５ａは第二の画像読取センサ１１を駆動する駆動モータに電力を供給する駆動電力供給用の導電部を有する第一接続部、１５ｂはその他（駆動電力供給用以外の）電力供給用・通信用）等の導電部を有する第二接続部であり、両者は物理的に離れた位置に配置されている。ここで、第二接続部１５ｂは、例えば、第二の画像読取センサ１１により読取られた画像情報を画像処理回路８に送るためのものである。
【００３４】
さらに、画像読取装置Ａの第一の画像読取部１には、本実施の形態の特徴的な構成として、第一の画像読取部１と第二の画像読取部２とが接続されたことを検知する接続検知手段（不図示）と、第一の画像読取部１の動作状態を識別する動作識別手段（不図示）が設けられている。
【００３５】
接続検知手段としては、マイクロスイッチ、フォトセンサ、磁気センサ等の様々な検出器を使用することができる。また、電気的負荷が接続されたことを第一の画像読取部１側がマイコン等で検知するようにしてもよい。
【００３６】
また、動作識別手段は、第一の画像読取部１において第一の駆動モータ５や第一の照射ランプ６や第一の画像読取センサ７が動作する第一の動作状態にあるか、または、第一の画像読取部１において画像処理回路８やＩ／Ｆ１２が動作する第二の動作状態にあるかを識別する。例えば、マイコンによる制御の場合には、第一の画像読取部１が実行中の動作の種類に応じて、マイコンがフラグを立てる等の処理を行うことによって第一の画像読取部１の動作状態を識別することが可能である。また、電流センサ等を用いた測定により、消費電流や消費電力の大小を判別することによって、第一の画像読取部１の動作状態を識別してもよい。
【００３７】
ここで、第一の動作状態では、例えば、第一の画像読取部１が読取動作中または初期設定中等の消費電力の多い動作状態にあり、また、第二の動作状態では、例えば、第一の画像読取部１が読取動作を行っていないスタンバイ状態等の消費電力の少ない動作状態にある。消費電力の大小判別の基準は、単位時間における平均消費電力による他、短時間のピーク消費電力等を考慮してもよい。
【００３８】
次に、電力制御手段１３により実行される制御ルーチンをフローチャートを用いて説明する。図２は、通常動作時のフローチャートを示す図であり、図３，４は、異常動作時のフローチャートを示す図である。
【００３９】
先ず、図２に示すフローチャートを用いて通常動作時の動作について説明する。
【００４０】
ステップＳ１１では、第一の画像読取部１と第二の画像読取部２とが接続されているかどうかを判定する。ステップＳ１１で第一の画像読取部１と第二の画像読取部２とが接続されていると判定された場合はステップＳ１２に移行し、否定判定の場合は、図３に示す異常動作時のフローチャートのＳ２１に移行する。
【００４１】
ステップＳ１２では、第一の画像読取部１と第二の画像読取部２とのうちどちらかが動作しているかどうかを判定する。Ｓ１２でどちらかの画像読取部が動作していると判定された場合はステップＳ１４に移行し、否定判定の場合はステップＳ１３に移行する。そして、ステップＳ１３では、選択された画像読取部を動作可能にして、本ルーチンの実行を終了する。
【００４２】
ステップＳ１４では、現在動作していない画像読取部の動作が選択されたかどうかを判定する。ステップＳ１４で選択されたと判定された場合はステップＳ１５に移行する。
【００４３】
ステップＳ１５では、現在動作している画像読取部の動作終了後に、現在動作していない画像読取部に電源を供給して動作を開始させる。
【００４４】
すなわち、本ルーチンでは、二つの画像読取部が接続されており、どちらの画像読取部も動作していない場合は、電力制御手段１３，１４に制御回路（不図示）から印加する切り替え信号によって、ＰＣ等の外部機器（不図示）より選択された画像読取部に電源を供給し動作可能にする。
【００４５】
すでに一方の画像読取部がＰＣ等の外部機器（不図示）より選択され動作しているときは、他方の画像読取部がさらに選択されてもその画像読取部に対する電源供給の開始は現在動作している画像読取部の動作終了まで保留する。
【００４６】
これにより二つの画像読取部への同時通電による電源電圧の低下等を防ぎ、電源供給部から各画像読取部に安定した電力供給を行うことができる。
【００４７】
次に、図３に示すフローチャート（異常動作時１）を用いて異常動作時の動作について説明する。
【００４８】
図２に示すステップＳ１１で否定判定されて移行したステップ２１では、第一の画像読取部１に電源供給を続ける。これにより、第一の画像読取部１のみ動作可能となっている。
【００４９】
続くステップＳ２２では、第一の画像読取部１と第二の画像読取部２とが接続されたかどうかを判定する。ステップＳ２２で接続されたと判定された場合はステップＳ２３に移行し、否定判定の場合はステップＳ２１に戻る。
【００５０】
ステップＳ２３では、接続時に、第一の画像読取部１は読取動作中かどうかを判定する。ステップＳ２３で、読取動作中であると判定された場合はステップＳ２４に移行し、否定判定の場合はステップＳ２６に移行する。
【００５１】
ステップＳ２４では、第二の画像読取部２への電源供給は、第一の画像読取部１の読取動作終了まで保留とする。続くステップＳ２５では、第一の画像読取部１の読取動作終了後に、第一の画像読取部１の所定部分（主動作部）の電源供給を停止し、第二の画像読取部２の電源投入を行い初期動作を開始し、ステップＳ２７に移行する。
【００５２】
ステップＳ２６では、第一の画像読取部１の所定部分（主動作部）の電源供給を停止し、第二の画像読取部２の電源投入を行い初期動作を開始し、ステップＳ２７に移行する。
【００５３】
ステップＳ２７では、選択された画像読取部を動作可能にする。
【００５４】
ここで、本ルーチンについてさらに説明する。
【００５５】
二つの画像読取部が接続されていない状態では第二の画像読取部２は選択されないので、第一の画像読取部１のみが動作可能である（ステップＳ２１）。
【００５６】
二つの画像読取部が接続されていない状態から第二の画像読取部２を接続するとき、第一の画像読取部１が画像読取や初期設定等の動作をしていなければ、第一の画像読取部１は画像処理回路８、Ｉ／Ｆ１２等の制御部を除いた所定部分の電源が切断される。続いて第二の画像読取部２に電源を投入し、初期化処理を行いＰＣ等の外部機器側へ接続情報を伝える（ステップＳ２６）。これ以後、ＰＣ等から先に選択された画像読取部だけに電源供給を行い、動作を可能にする（ステップＳ２７）。
【００５７】
第一の画像読取部１が画像読取等の動作中に第二の画像読取部２を接続した場合、接続を検知しても電源投入等の動作は第一の画像読取部１の画像読取等の動作終了まで保留し、第二の画像読取部２を動作させない（ステップＳ２４）。
【００５８】
第一の画像読取部１の読取動作等の終了後に第一の画像読取部１は画像処理回路８、Ｉ／Ｆ１２等の制御部を除き電源が切断される。続いて第二の画像読取部２に電源を投入し、初期化処理を行いＰＣ等の外部機器側へ接続情報を伝える（ステップＳ２５）。これ以後、ＰＣ等から先に選択された画像読取部だけに電源供給を行い、動作を可能にする（ステップＳ２７）。
【００５９】
次に、図４に示すフローチャート（異常動作時２）を用いて、第二の画像読取部２が動作中に第二接続部が外れる等により電力の供給が止まった場合の動作について説明する。
【００６０】
先ず、第二の画像読取部２が画像読取動作中に、その他電力供給用・通信用等接続部である第二接続部１５ｂが外れたかどうかを判定する（ステップＳ３１）。ここで、ステップＳ３１で第二接続部１５ｂが外れたと判定された場合はステップＳ３２に移行し、否定判定の場合は再度ステップＳ３１に戻る。
【００６１】
第二の画像読取部２が画像読取動作中に第二接続部１５ｂが外れる（ステップＳ３１）等により、第二接続部から第二の画像読取部２への電力供給が止まり、第二の画像読取部２の動作が停止したことをマイコン等の制御回路（不図示）が感知する（ステップＳ３２）。
【００６２】
画像読取センサ駆動モータには画像読取センサ駆動モータ電力供給用の第一接続部１５ａにより第一の画像読取部１にある不図示のモータドライバ等から駆動電力供給が行えるため、画像読取センサ１１の初期位置の検出手段(不図示）からの信号を第一接続部１５
ａを介して接続することで、画像読取センサの位置を初期位置まで戻すことが出来る（ステップＳ３３）。
【００６３】
それを記憶しておけば、再接続後の次回初期動作時に画像読取センサ駆動モータを駆動させ第二の画像読取センサ１１を初期位置まで戻す動作を行わずに済むので、次回初期動作を通常と同等に行うことが出来る（ステップＳ３４）。
【００６４】
また、モータドライバ等を第二の画像読取部２に設置した場合は、モータ制御信号用導電部を第一接続部１５ａに含ませておくことで、同様の戻し動作が可能である。
【００６５】
以上説明したように、第一の画像読取部１と第二の画像読取部２が接続されていない場合に、第一の画像読取部１が画像読み取り動作中に第二の画像読取部２を接続しても、第二の画像読取部２には電力を供給しないように構成することで、第一の画像読取部１に安定した電力供給を行え、誤動作や性能低下を防止することが出来る。
【００６６】
また同様に、第二の画像読取部２が画像読取等の動作をしている場合に第一の画像読取部１をＰＣ等から動作させようとしても、第一の画像読取部１には制御部以外の電源供給を行わない構成としている。
【００６７】
その結果、第一の画像読取部１と第二の画像読取部２が同時に動作することがなくなるため、第一の画像読取部１と第二の画像読取部２が同時に動作する場合を想定した大容量の電源供給部や高性能な画像処理回路等は不要となり、第一の画像読取部１か第二の画像読取部２のどちらか一方が動作することを想定した部品、装置で充分となるため、より効率的な部品選択が可能となり、小型・低価格化を図ることが可能となる。
【００６８】
さらに、第二の画像読取部２が動作中に、その他電力供給用・通信用等の第二接続部１５ｂが外れる等により第二接続部１５ｂからの電力供給が停止しても、画像読取センサ駆動モータには画像読取センサ駆動モータ電力供給用の第一接続部１５ａからモータ駆動電力が供給されるので、第二の画像読取センサ１１を初期位置まで戻すことが出来る。
【００６９】
このため再接続後の初期動作時に、モータを駆動させて第二の画像読取センサ１１を初期位置まで移動させる必要が無くなり、初期動作時に通常の初期動作と同等の安定した電力供給を行うことが出来るため、誤動作や性能低下を防止出来、動作速度も上げることが出来る。
【００７０】
また、電力供給用接続部と通信用接続部を、画像読取センサ駆動モータ電力供給用の第一接続部１５ａとその他電力供給用・通信用等の第二接続部１５ｂのように独立させることで、モータ駆動電力から生じるノイズが他の電源や信号伝達部分へ与える影響を抑えることが出来る。また、第一接続部１５ａにモータ駆動用以外の電力供給用導電部を含むように構成してもよい。
【図面の簡単な説明】
【００７１】
【図１】本発明の実施の形態の画像読取装置を示す概略構成図である。
【図２】本発明の実施の形態のフローチャート１（通常動作時）である。
【図３】本発明の実施の形態のフローチャート２（異常動作時１）である。
【図４】本発明の実施の形態のフローチャート３（異常動作時２）である。
【図５】従来の画像読取装置の概略構成図である。
【符号の説明】
【００７２】
１  第一の画像読取部
２  第二の画像読取部
４  電力供給源
５  第一の駆動モータ
６  第一の照射ランプ
７  第一の画像読取センサ
８  画像処理回路
９  第二の駆動モータ
１０  第二の照射ランプ
１１  第二の画像読取センサ
１２  Ｉ／Ｆ
１３  電力制御手段
１３ａ，１３ｂ  電力制御部
１５  接続部
１５ａ  第一接続部
１５ｂ  第二接続部
【図１】
2006254631.tif 000003
【図２】
2006254631.tif 000004
【図３】
2006254631.tif 000005
【図４】
2006254631.tif 000006
【図５】
2006254631.tif 000007